(57)【要約】複数のピクチャを有する動画像と、複数のピクチャそれぞれの画像特性を示す複数の画像特性情報とを含む映像信号を所定の通信により表示装置（２００）に出力する再生装置（１００）であって、複数のピクチャのうちの一のピクチャを表示装置が表示するタイミングに対する、複数の画像特性情報のうち当該一のピクチャに対応する一の画像特性情報を表示装置が表示する処理に用いるタイミングの第１時間差を取得する取得部（１１０）と、第１時間差が小さくなるように、複数のピクチャを出力するタイミング、および、複数の画像特性情報を出力するタイミングの少なくとも一方を調整する調整部（１２０）と、調整部により調整された後のタイミングで複数のピクチャおよび複数の画像特性情報を所定の通信により出力する出力部（１３０）と、を備える。
2018193715.tif 000002
【特許請求の範囲】
【請求項１】
複数のピクチャを有する動画像と、前記複数のピクチャそれぞれに対応しており、前記複数のピクチャの画像特性を示す複数の画像特性情報とを含む映像信号を所定の通信により表示装置に出力する再生装置であって、
前記複数のピクチャのうちの一のピクチャを前記表示装置が表示するタイミングに対する、前記複数の画像特性情報のうち当該一のピクチャに対応する一の画像特性情報を前記表示装置が表示する処理に用いるタイミングの第１時間差を取得する取得部と、
前記取得部により取得された前記第１時間差が小さくなるように、前記複数のピクチャを出力するタイミング、および、前記複数の画像特性情報を出力するタイミングの少なくとも一方を調整する調整部と、
前記調整部により調整されたタイミングで前記複数のピクチャおよび前記複数の画像特性情報を前記所定の通信により出力する出力部と、を備える
再生装置。
【請求項２】
さらに、
前記表示装置に、前記第１時間差を特定するためのＵＩ（Ｕｓｅｒ  Ｉｎｔｅｒｆａｃｅ）を前記所定の通信により出力するＵＩ出力部と、
前記ＵＩ出力部により出力された前記ＵＩに対する、ユーザからの所定の入力を受け付ける入力受付部と、
前記入力受付部により受け付けられた前記所定の入力に応じて前記第１時間差を決定する決定部と、を備え、
前記取得部は、前記決定部により決定された前記第１時間差を取得する
請求項１に記載の再生装置。
【請求項３】
さらに、
前記表示装置に、第２時間差を特定するためのＵＩ（Ｕｓｅｒ  Ｉｎｔｅｒｆａｃｅ）を前記所定の通信により出力するＵＩ出力部と、
前記ＵＩ出力部により出力された前記ＵＩに対する、ユーザからの所定の入力を受け付ける入力受付部と、
前記入力受付部により受け付けられた前記入力に応じて前記第２時間差を決定する決定部と、を備え、
前記調整部は、前記取得部により取得された前記第１時間差、および、前記決定部により決定された前記第２時間差に応じて、前記第１時間差および前記第２時間差の合計値が小さくなるように、前記複数のピクチャを出力するタイミング、および、前記複数の画像特性情報を出力するタイミングの少なくとも一方を調整する
請求項１に記載の再生装置。
【請求項４】
前記所定の通信は、ＨＤＭＩ（登録商標）（High-Definition Multimedia Interface）による通信であり、
前記取得部は、前記表示装置のＥＤＩＤ（Extended Display Identification Data）を、前記ＨＤＭＩを介して取得することで、前記ＥＤＩＤに含まれる前記第１時間差を取得する
請求項１から３のいずれか１項に記載の再生装置。
【請求項５】
前記複数の画像特性情報は、前記複数のピクチャの最大輝度および平均輝度の少なくとも一方を含むダイナミックメタデータである
請求項１から４のいずれか１項に記載の再生装置。
【請求項６】
複数のピクチャと、前記複数のピクチャそれぞれに対応しており、前記複数のピクチャの画像特性を示す複数の画像特性情報とを含む映像信号を所定の通信により表示装置に出力する再生装置における再生方法であって、
前記複数のピクチャのうちの一のピクチャを前記表示装置が表示するタイミングに対する、前記複数の画像特性情報のうち当該一のピクチャに対応する一の画像特性情報を前記表示装置が表示する処理に用いるタイミングの第１時間差を取得し、
取得した前記第１時間差に応じて、前記第１時間差が小さくなるように、前記複数のピクチャを出力するタイミング、および、前記複数の画像特性情報を出力するタイミングの少なくとも一方を調整し、
調整したタイミングで前記複数のピクチャおよび前記複数の画像特性情報を前記所定の通信により出力する
再生方法。
【請求項７】
複数のピクチャを有する動画像と、前記複数のピクチャそれぞれに対応しており、前記複数のピクチャの画像特性を示す複数の画像特性情報とを含む映像信号を所定の通信により再生装置から取得する取得部と、
前記複数のピクチャのうちの一のピクチャを前記再生装置が出力するタイミングに対する、前記複数の画像特性情報のうち当該一のピクチャに対応する一の画像特性情報を前記再生装置が出力するタイミングの第３時間差を検出する検出部と、
前記検出部により検出された前記第３時間差に応じて、前記第３時間差が小さくなるように、前記複数のピクチャを表示するタイミング、および、前記複数の画像特性情報を前記表示する処理に用いるタイミングの少なくとも一方を調整する調整部と、
前記調整部により調整されたタイミングで前記画像特性情報を用いて前記複数のピクチャを表示する表示部と、を備える
表示装置。
【請求項８】
前記検出部は、前記再生装置により再生された、テスト用のパイロットピクチャおよび当該パイロットピクチャに対応するパイロット画像特性情報を取得し、前記パイロットピクチャを取得したタイミングおよび前記パイロット画像特性情報を取得したタイミングを用いて前記第３時間差を検出する
請求項７に記載の表示装置。
【請求項９】
前記所定の通信は、ＨＤＭＩ（High-Definition Multimedia Interface）による通信であり、
前記取得部は、前記再生装置から前記ＨＤＭＩを介して送信されるＩｎｆｏＦｒａｍｅを取得することで、前記ＩｎｆｏＦｒａｍｅに含まれる前記第３時間差を取得する
請求項７または８に記載の表示装置。
【請求項１０】
前記複数の画像特性情報は、前記複数のピクチャの最大輝度および平均輝度の少なくとも一方を含むダイナミックメタデータである
請求項７から９のいずれか１項に記載の表示装置。
【請求項１１】
複数のピクチャと、前記複数のピクチャそれぞれに対応しており、前記複数のピクチャの画像特性を示す複数の画像特性情報とを含む映像信号を所定の通信により再生装置から取得し、
前記複数のピクチャのうちの一のピクチャを前記再生装置が出力するタイミングに対する、前記複数の画像特性情報のうち当該一のピクチャに対応する一の画像特性情報を前記再生装置が出力するタイミングの第３時間差を検出し、
検出した前記第３時間差に応じて、前記第３時間差が小さくなるように、前記複数のピクチャを表示するタイミング、および、前記複数の画像特性情報を前記表示する処理に用いるタイミングの少なくとも一方を調整し、
調整したタイミングで前記が像特性情報を用いて前記複数のピクチャを表示する
表示方法。
【発明の詳細な説明】
【技術分野】
【０００１】
本開示は、映像データを再生する再生装置および再生方法、再生された映像を表示する表示装置および表示方法に関する。
【背景技術】
【０００２】
特許文献１は、画像に関するメタデータを受け取り、受け取ったメタデータに従って、画像のアピアランスマッピングを実行する方法を開示する。
【先行技術文献】
【特許文献】
【０００３】
【特許文献１】特表２０１６−５１５３２７号公報
【発明の概要】
【発明が解決しようとする課題】
【０００４】
本開示は、動画像の所定のピクチャの画像特性に対応する適切な表示処理を当該所定のピクチャに実行できる再生装置、表示装置などを提供する。
【課題を解決するための手段】
【０００５】
本開示における再生装置は、複数のピクチャを有する動画像と、前記複数のピクチャそれぞれに対応しており、前記複数のピクチャの画像特性を示す複数の画像特性情報とを含む映像信号を所定の通信により表示装置に出力する再生装置であって、前記複数のピクチャのうちの一のピクチャを前記表示装置が表示するタイミングに対する、前記複数の画像特性情報のうち当該一のピクチャに対応する一の画像特性情報を前記表示装置が表示する処理に用いるタイミングの第１時間差を取得する取得部と、前記取得部により取得された前記第１時間差が小さくなるように、前記複数のピクチャを出力するタイミング、および、前記複数の画像特性情報を出力するタイミングの少なくとも一方を調整する調整部と、前記調整部により調整されたタイミングで前記複数のピクチャおよび前記複数の画像特性情報を前記所定の通信により出力する出力部と、を備える。【０００６】
本開示における表示装置は、複数のピクチャを有する動画像と、前記複数のピクチャそれぞれに対応しており、前記複数のピクチャの画像特性を示す複数の画像特性情報とを含む映像信号を所定の通信により再生装置から取得する取得部と、前記複数のピクチャのうちの一のピクチャを前記再生装置が出力するタイミングに対する、前記複数の画像特性情報のうち当該一のピクチャに対応する一の画像特性情報を前記再生装置が出力するタイミングの第３時間差を検出する検出部と、前記検出部により検出された前記第３時間差に応じて、前記第３時間差が小さくなるように、前記複数のピクチャを表示するタイミング、および、前記複数の画像特性情報を前記表示する処理に用いるタイミングの少なくとも一方を調整する調整部と、前記調整部により調整されたタイミングで前記画像特性情報を用いて前記複数のピクチャを表示する表示部と、を備える。【０００７】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００８】
本開示における再生装置、表示装置などは、動画像の所定のピクチャの画像特性に対応する適切な画像処理を当該所定のピクチャに実行することができる。
【図面の簡単な説明】
【０００９】
【図１】図１は、実施の形態１に係る映像表示システムの概略図である。
【図２】図２は、実施の形態１に係る映像表示システムのハードウェア構成の一例を示すブロック図である。
【図３】図３は、実施の形態１に係る映像表示システムの機能構成の一例を示すブロック図である。
【図４】図４は、映像信号の一例について説明するための図である。
【図５】図５は、実施の形態１に係る映像表示システムによる再生方法の一例を示すシーケンス図である。
【図６】図６は、実施の形態１の変形例１に係る映像表示システムの機能構成の一例を示すブロック図である。
【図７】図７は、ＵＩ出力部により出力されるＵＩの一例を示す図である。
【図８】図８は、実施の形態１の変形例１に係る映像表示システムによる再生方法の一例を示すシーケンス図である。
【図９】図９は、実施の形態１に係る映像表示システムの機能構成の一例を示すブロック図である。
【図１０】図１０は、実施の形態１の変形例２に係る映像表示システムによる再生方法の一例を示すシーケンス図である。
【図１１】図１１は、実施の形態２に係る映像表示システムの機能構成の一例を示すブロック図である。
【図１２】図１２は、実施の形態２に係る映像表示システムによる表示方法の一例を示すシーケンス図である。
【発明を実施するための形態】
【００１０】
（本発明の基礎となった知見）
本発明者は、「背景技術」の欄において記載した方法に関し、以下の問題が生じることを見出した。
【００１１】
特許文献１に記載の方法では、受け取ったメタデータに従って、画像の処理を実行することで、処理後の画像を表示させる。ところで、このようなメタデータには、コンテンツごとに輝度変換を行うためのメタデータである静的メタデータと、コンテンツのシーンごと、あるいは、コンテンツのピクチャごとに輝度変換を行うためのメタデータである動的メタデータ（ダイナミックメタデータ）とがある。
【００１２】
表示装置は、ダイナミックメタデータを用いて輝度変換を行う表示処理を実行する場合、コンテンツのシーンまたはピクチャへの表示処理を行うタイミングで、当該シーンまたはピクチャに対応するメタデータを取得できない場合がある。一般的に、再生装置は、映像データを復号することで得られたピクチャと、映像データに含まれるメタデータとを映像信号として表示装置に出力し、表示装置は、入力された映像信号に基づいて表示処理を実行する。
【００１３】
このとき、再生装置では、映像データを記録媒体から読み出す他に、映像データを構成するストリームデータを復号する処理を実行することでピクチャを取得するため、映像データからメタデータを取得するよりも時間を要する。このため、互いに対応関係にあるピクチャとメタデータとは、ずれたタイミングで表示装置に出力されるおそれがある。
【００１４】
また、表示装置では、映像信号のピクチャを表示処理するのに時間を要するため、メタデータを用いた表示処理を実行するときに、当該表示処理が当該メタデータと対応関係に有るピクチャからずれたタイミングのピクチャに適用されるおそれがある。
【００１５】
このように、特許文献１のような技術では、表示装置においてピクチャを表示処理する場合に、当該ピクチャとは対応関係に無いメタデータを適用した表示処理を行うおそれがあり、例えば、シーンが変更される場合などにおいて、適切な表示処理が行われていないピクチャが表示されると言う課題がある。
【００１６】
このような課題を解決するために、本発明者は、本開示の再生装置、再生方法、表示装置、および、表示方法を見出すに至った。
【００１７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１８】
なお、発明者（ら）は、当業者が本開示を十分に理解するために添付図面および以下の説明を提供するのであって、これらによって請求の範囲に記載の主題を限定することを意図するものではない。
【００１９】
（実施の形態１）
以下、図１〜図１０を用いて、実施の形態１を説明する。
【００２０】
［１−１．構成］
図１は、実施の形態１に係る映像表示システムの概略図である。
【００２１】
具体的には、図１において、再生装置１００、表示装置２００および伝送ケーブル３００が示されている。例えば、映像表示システム１は、これらの構成要素のうち、再生装置１００および表示装置２００を備える。図１では、伝送ケーブル３００によって、再生装置１００および表示装置２００が互いに通信可能に接続されているが、伝送ケーブル３００によって接続されていなくてもよく、無線通信によって再生装置１００および表示装置２００が互いに通信可能に接続されていてもよい。
【００２２】
再生装置１００は、映像データを取得し、取得した映像データを復号し、復号することで得られた動画像および動画像の画像特性を示す画像特性情報を表示装置２００に出力する。再生装置１００は、具体的には、記録媒体に記録されている映像データを、記録媒体を読み出すことで取得する装置である。記録媒体は、ＤＶＤ、Ｂｌｕ-ｒａｙ（登録商標）  Ｄｉｓｃ（以下、「ＢＤ」とも表記する。）などの光ディスクであってもよいし、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅなどのストレージであってもよい。再生装置１００は、例えば、ＢＤプレーヤーである。また、再生装置１００は、インターネットなどの通信ネットワークを介して映像データを取得してもよい。
【００２３】
表示装置２００は、再生装置１００により出力された映像信号を取得し、取得した映像信号に所定の表示処理を実行することで映像信号が示す映像を表示する。表示装置２００は、例えば、ＴＶ、ディスプレイなどである。
【００２４】
伝送ケーブル３００は、例えば、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルである。
【００２５】
映像表示システム１では、再生装置１００は、伝送ケーブル３００を介して、映像信号のＢｌａｎｋｉｎｇ期間にＩｎｆｏＦｒａｍｅを表示装置２００に伝送する。また、再生装置１００は、伝送ケーブル３００を介して、表示装置２００のＥＤＩＤを読み出す。
【００２６】
ここで、ＩｎｆｏＦｒａｍｅとは、再生装置１００が出力中の映像信号の属性を記述したパケットであり、表示装置２００のＢｌａｎｋｉｎｇ期間に伝送されるデータである。ＩｎｆｏＦｒａｍｅは、具体的には、ＡＶＩ＿ＩｎｆｏＦｒａｍｅ（Ｖｉｄｅｏ  ｔｉｍｉｎｇや、ＲＧＢ／ＹＣｂＣｒ、カラリメトリなどの情報）、Ａｕｄｉｏ  ＩｎｆｏＦｒａｍｅ  （Ａｕｄｉｏ情報を含む）、Ｖｅｎｄｏｒ  Ｓｐｅｃｉｆｉｃ  ＩｎｆｏＦｒａｍｅ（ＩＥＥＥ  ２４ｂｉｔ  ｃｏｄｅにより区分されたＶｅｎｄｏｒ規定情報）などのデータを含む。
【００２７】
また、ＥＤＩＤとは、ＨＤＭＩに準拠（つまり対応）した表示装置２００などのＳｙｎｃ機器の表示可能な映像のフォーマットを示す表示能力情報を再生装置１００などのＳｏｕｒｃｅ機器に伝えるためのＲＯＭデータである。ＥＤＩＤは、通常２５６ｂｙｔｅからなるデータである。ＥＤＩＤは、具体的には、製造者名、製造年等表示可能なｖｉｄｅｏ  ｔｉｍｉｎｇ（１０８０ｉ／６０、７２０ｐ／６０、４８０ｐ等、表示可能なｖｉｄｅｏ  ｔｉｍｉｎｇ）、ＤｅｅｐＣｏｌｏｒサポートの有無、３Ｄサポートの有無を示す情報（表示能力情報）である。本実施の形態では、ＥＤＩＤには、さらに、複数のピクチャのうちの一のピクチャを表示装置２００が表示する第１タイミングに対する、複数の画像特性情報のうち当該一のピクチャに対応する一の画像特性情報を表示装置２００が表示する処理に用いる第２タイミングの第１時間差を示す時間差情報が含まれる。
【００２８】
図２は、実施の形態１に係る映像表示システムのハードウェア構成の一例を示すブロック図である。
【００２９】
まず、再生装置１００のハードウェア構成について説明する。
【００３０】
再生装置１００は、制御回路１０１と、メモリ１０２と、ＢＤドライブ１０３と、バッファメモリ１０４と、デコーダ１０５と、通信ＩＦ（Ｉｎｔｅｒｆａｃｅ）１０６と、入力ＩＦ（Ｉｎｔｅｒｆａｃｅ）１０７とを備える。
【００３１】
制御回路１０１は、メモリ１０２等に記憶された制御プログラムを実行する処理回路である。制御回路１０１は、例えば、ＣＰＵなどの汎用のプロセッサである。なお、制御回路１０１は、メモリ１０２を用いて所定の処理を実行する専用回路であってもよい。制御回路１０１は、制御プログラムに応じた処理を実行することで、ＢＤドライブ１０３、デコーダ１０５などの動作を制御する。また、制御回路１０１は、入力ＩＦ１０７で受け付けられた入力に応じた制御をＢＤドライブ１０３、デコーダ１０５などに実行させてもよい。
【００３２】
メモリ１０２は、制御回路１０１が制御プログラムを実行するときに使用するワークエリアとして用いられる揮発性の記憶領域である。
【００３３】
ＢＤドライブ１０３は、ＢＤなどの光ディスクに記録されているコンテンツデータを読み出す機器である。ＢＤドライブ１０３は、読み出したコンテンツデータをバッファメモリ１０４に出力する。なお、コンテンツデータは、少なくとも映像データを含むデータであり、さらに音声データを含んでいてもよい。
【００３４】
バッファメモリ１０４は、ＢＤドライブ１０３により出力されたコンテンツデータを一時的に保持する揮発性の記憶領域である。
【００３５】
デコーダ１０５は、バッファメモリ１０４に保持されているコンテンツデータを読み出して、読み出したコンテンツデータを復号する。デコーダ１０５は、コンテンツデータを復号することで得られた、映像を示す映像信号を通信ＩＦ１０６に出力する。コンテンツデータが音声データを含む場合には、デコーダ１０５は、音声データを復号することで得られた音声を示す音声信号も映像信号と共に通信ＩＦ１０６に出力する。
【００３６】
通信ＩＦ１０６は、表示装置２００と通信を行うための通信インタフェースである。具体的には、通信ＩＦ１０６は、ＨＤＭＩである。通信ＩＦ１０６は、例えば、接続されている伝送ケーブル３００を介して、表示装置２００に映像信号を送信する。
【００３７】
入力ＩＦ１０７は、ユーザからの入力を受け付ける入力インタフェースである。具体的には、入力ＩＦ１０７は、例えば、リモコンからの赤外線信号などを受信する受信ユニットである。入力ＩＦ１０７は、赤外線信号を受信すると、受信した赤外線信号が示す入力情報を制御回路１０１に出力する。なお、入力ＩＦ１０７は、赤外線信号を受信する受信ユニットに限らずに、赤外線信号以外の無線信号を受信する受信ユニットであってもよい。また、入力ＩＦ１０７は、リモコン以外にも、マウス、キーボード、タッチセンサなどの他の入力デバイスへの入力を受け付ける機器であってもよい。
【００３８】
次に、表示装置２００のハードウェア構成について説明する。
【００３９】
表示装置２００は、制御回路２０１と、メモリ２０２と、通信ＩＦ（Ｉｎｔｅｒｆａｃｅ）２０３と、映像処理回路２０４と、表示パネル２０５と、音声処理回路２０６と、スピーカ２０７とを備える。
【００４０】
制御回路２０１は、メモリ２０２等に記憶された制御プログラムを実行する処理回路である。制御回路２０１は、例えば、ＣＰＵなどの汎用のプロセッサである。なお、制御回路２０１は、メモリ２０２を用いて所定の処理を実行する専用回路であってもよい。制御回路２０１は、制御プログラムに応じた処理を実行することで、映像処理回路２０４、音声処理回路２０６などにおける処理を制御する。
【００４１】
メモリ２０２は、制御回路２０１が制御プログラムを実行するときに使用するワークエリアとして用いられる揮発性の記憶領域である。また、メモリ２０２は、ＥＤＩＤを記憶しているＥＤＩＤ  ＲＯＭを含んでいてもよい。
【００４２】
通信ＩＦ２０３は、再生装置１００と通信を行うための通信インタフェースである。具体的には、通信ＩＦ２０３は、ＨＤＭＩである。通信ＩＦ２０３は、接続されている伝送ケーブル３００を介して、再生装置１００から映像信号を受信する。
【００４３】
映像処理回路２０４は、映像信号に、所定の表示処理を実行することで、表示パネル２０５に映像信号が示す映像を表示させる。映像処理回路２０４は、映像信号に含まれる複数のピクチャのそれぞれについて、当該ピクチャに対応する画像特性情報を用いた表示処理を実行することで、複数のピクチャを表示する。
【００４４】
表示パネル２０５は、映像処理回路２０４により出力された信号に応じて映像を表示する。表示パネル２０５は、例えば、液晶パネル、有機ＥＬ（Ｅｌｅｃｔｒｏ  Ｌｕｍｉｎａｎｃｅ）パネルなどである。
【００４５】
音声処理回路２０６は、音声信号に、所定の処理を実行することで、スピーカ２０７から音声信号が示す音声を出力させる。
【００４６】
スピーカ２０７は、音声処理回路２０６により出力された信号に応じて音声を出力する。
【００４７】
なお、制御回路２０１、メモリ２０２、映像処理回路２０４および音声処理回路２０６は、２以上の回路を組み合わせた処理回路により実現されていてもよく、１つの処理回路により実現されていてもよい。また、制御回路２０１、メモリ２０２、映像処理回路２０４および音声処理回路２０６は、それぞれが独立した処理回路により実現されていてもよいし、共通した処理回路により実現されていてもよい。
【００４８】
なお、表示装置２００は、音声処理回路２０６およびスピーカ２０７を備えていなくてもよい。
【００４９】
図３は、実施の形態１に係る映像表示システムの機能構成の一例を示すブロック図である。
【００５０】
まず、再生装置１００の機能構成について説明する。
【００５１】
再生装置１００は、機能構成として、取得部１１０と、調整部１２０と、出力部１３０とを備える。
【００５２】
取得部１１０は、上述した時間差情報を表示装置２００から伝送ケーブル３００を介して取得する。取得部１１０は、例えば、時間差情報を含む、表示装置２００のＥＤＩＤを、ＨＤＭＩを介して取得することで、時間差情報を取得する。時間差情報が示す第１時間差は、例えば、第１タイミングから第２タイミングを減じることで得られた時間差である。つまり、第１タイミングが第２タイミングよりも早い時刻であれば、正の値となり、反対に、第１タイミングが第２タイミングよりも遅い時刻であれば、負の値となる。取得部１１０は、例えば、制御回路１０１、メモリ１０２および通信ＩＦ１０６などにより実現される。
【００５３】
なお、第１時間差は、第２タイミングから第１タイミングを減じることで得られた時間差であってもよい。この場合、正および負の関係は、上記とは反対となる。
【００５４】
調整部１２０は、取得部１１０により取得された時間差情報が示す第１時間差が小さくなるように、複数のピクチャを出力するタイミング、および、複数の画像特性情報を出力するタイミングの少なくとも一方を調整する。具体的には、調整部１２０は、第１時間差が正の値であれば、第１時間差の分だけ複数のピクチャを出力するタイミングを遅くするか、または、第１時間差の分だけ複数の画像特性情報を出力するタイミングを早くするか、または、第１時間差の分だけ複数のピクチャを出力するタイミングを遅くし、かつ、複数の画像特性情報を出力するタイミングを早くする。また、調整部１２０は、第１時間差が負の値であれば、第１時間差の分だけ、複数のピクチャを出力するタイミングを早くするか、または、複数の画像特性情報を出力するタイミングを遅くするか、または、第１時間差の分だけ複数のピクチャを出力するタイミングを早くし、かつ、複数の画像特性情報を出力するタイミングを遅くする。なお、調整部１２０は、連続して表示される複数のピクチャの表示間隔（表示周期）単位でタイミングを調整してもよい。調整部１２０は、例えば、制御回路１０１およびメモリ１０２などにより実現される。
【００５５】
出力部１３０は、調整部１２０により調整されたタイミングで複数のピクチャおよび複数の画像特性情報を所定の通信により出力する。出力部１３０は、例えば、所定の通信としてＨＤＭＩを用いた通信により複数のピクチャおよび複数の画像特性情報を表示装置２００に出力する。以下、所定の通信は、ＨＤＭＩの伝送ケーブル３００を用いた通信であるとするが、通信ＩＦ１０６および通信ＩＦ２０３の間で行われる通信であれば上記の通信に限らない。出力部１３０は、例えば、制御回路１０１、メモリ１０２および通信ＩＦ１０６などにより実現される。
【００５６】
ここで、再生装置１００により出力される映像信号について説明する。
【００５７】
図４は、映像信号の一例について説明するための図である。
【００５８】
図４に示すように映像信号には、動画像を示す情報と、動画像を構成する複数のピクチャのそれぞれに対応する複数の画像特性情報としての複数のメタデータとが含まれる。ここでは、動画像は、複数のシーン１、２、３、・・・により構成されており、複数のシーン１、２、３、・・・にメタデータ１、２、３、・・・がそれぞれ対応して設けられている構成を例とする。この場合、シーンｎ（ｎは、１以上の整数）に対応するメタデータｎは、シーンｎにおける最大輝度（ピーク）および平均輝度の少なくとも一方を示すデータである。
【００５９】
次に、表示装置２００の機能構成について説明する。
【００６０】
表示装置２００は、機能構成として、通信部２１０と、記憶部２２０と、表示部２３０とを備える。
【００６１】
通信部２１０は、記憶部２２０に記憶されている時間差情報を、伝送ケーブル３００を介して再生装置１００に送信する。具体的には、通信部２１０は、時間差情報を含むＥＤＩＤであって、記憶部２２０に記憶されているＥＤＩＤを再生装置１００に送信する。また、通信部２１０は、再生装置１００から映像信号を受信する。通信部２１０は、例えば、制御回路２０１、メモリ２０２および通信ＩＦ２０３などにより実現される。
【００６２】
記憶部２２０は、時間差情報を含むＥＤＩＤを記憶している。記憶部２２０は、例えば、メモリ２０２により実現される。
【００６３】
表示部２３０は、通信部２１０により受信された映像信号が含むピクチャに、当該ピクチャに対応する画像特性情報を適用した表示処理を行うことで、当該ピクチャを表示する。表示部２３０は、シーンｎのピクチャに対してメタデータｎを用いて表示処理を行う。表示部２３０は、シーンｎのピクチャに対してメタデータｎの最大輝度を表示装置２００の表示パネル２０５の最大輝度に合わせるトーンマッピング処理を表示処理として行ってもよい。また、表示部２３０は、上記トーンマッピング処理において、メタデータｎの平均輝度を用いた処理を行ってもよい。これにより、表示部２３０は、各シーンの輝度に応じて最適な輝度調整を行うことができ、例えば、シーンの最大輝度が表示装置の最大輝度よりも小さい場合には、シーンの輝度の階調を豊かにした映像を表示することができ、シーンの最大輝度が表示装置の最大輝度よりも大きい場合には、白飛びさせることなく高輝度領域の映像を表現することができる。表示部２３０は、例えば、映像処理回路２０４および表示パネル２０５等により実現される。
【００６４】
［１−２．動作］
以上のように構成された映像表示システム１について、その動作を以下説明する。
【００６５】
図５は、実施の形態１に係る映像表示システムによる再生方法の一例を示すシーケンス図である。
【００６６】
まず、表示装置２００は、メモリ２０２に記憶されている時間差情報を、伝送ケーブル３００を介して再生装置１００に送信する（Ｓ１）。
【００６７】
次に、再生装置１００では、取得部１１０が表示装置２００から時間差情報を取得する（Ｓ２）。具体的には、再生装置１００は、表示装置２００のＥＤＩＤを表示装置２００から受信することで、ＥＤＩＤに含まれる時間差情報を取得する。
【００６８】
そして、調整部１２０は、取得部１１０により取得された時間差情報が示す第１時間差が小さくなるように、複数のピクチャを出力するタイミング、および、複数の画像特性情報を出力するタイミングの少なくとも一方を調整する（Ｓ３）。
【００６９】
その後、出力部１３０は、調整部１２０により調整されたタイミングで複数のピクチャおよび複数の画像特性情報を、伝送ケーブル３００を介して出力する（Ｓ４）。
【００７０】
表示装置２００では、再生装置１００から出力された複数のピクチャおよび複数の画像情報を含む映像信号を、伝送ケーブル３００を介して受信し、受信した映像信号を表示する（Ｓ５）。
【００７１】
［１−３．効果等］
以上のように、本実施の形態において、再生装置１００は、複数のピクチャを有する動画像と、複数のピクチャそれぞれに対応しており、複数のピクチャの画像特性を示す複数の画像特性情報とを含む映像信号を、伝送ケーブル３００を介して表示装置２００に出力する。再生装置１００は、取得部１１０と、調整部１２０と、出力部１３０とを備える。取得部１１０は、複数のピクチャのうちの一のピクチャを表示装置２００が表示するタイミングに対する、複数の画像特性情報のうち当該一のピクチャに対応する一の画像特性情報を表示装置が表示する処理に用いるタイミングの第１時間差を取得する。調整部１２０は、取得部１１０により取得された第１時間差が小さくなるように、複数のピクチャを出力するタイミング、および、複数の画像特性情報を出力するタイミングの少なくとも一方を調整する。出力部１３０は、調整部１２０により調整されたタイミングで複数のピクチャおよび複数の画像特性情報を、伝送ケーブル３００を介して出力する。
【００７２】
これによれば、再生装置１００は、表示装置２００が一のピクチャを表示するタイミングに対する、当該表示装置２００が当該一のピクチャに対応する一の画像特性情報を表示する処理に用いるタイミングの第１時間差が小さくなるように、複数のピクチャを出力するタイミング、および、複数の画像特性情報を出力するタイミングの少なくとも一方を調整し、調整したタイミングで、複数のピクチャおよび複数の画像特性情報を出力する。よって、表示装置２００は、動画像の所定のピクチャを表示させる処理を行うタイミングで、当該所定のピクチャに対応する画像特性情報を取得でき、動画像の所定のピクチャの画像特性に対応する適切な表示処理を当該所定のピクチャに実行することができる。
【００７３】
また、本実施の形態において、所定の通信は、ＨＤＭＩ（High-Definition Multimedia Interface）による通信である。取得部１１０は、表示装置２００のＥＤＩＤ（Extended Display Identification Data）を、ＨＤＭＩを介して取得することで、ＥＤＩＤに含まれる第１時間差を取得する。このため、再生装置１００は、ＨＤＭＩによって表示装置２００と接続するだけで、第１時間差を取得することができる。
【００７４】
また、本実施の形態において、複数の画像特性情報は、複数のピクチャの最大輝度および平均輝度の少なくとも一方を含むダイナミックメタデータである。このため、表示装置２００は、ダイナミックメタデータを適用した表示処理を適切なタイミングで所定のピクチャに実行することができる。
【００７５】
［１−４．変形例］
［１−４−１．変形例１］
実施の形態１の変形例１について説明する。
【００７６】
図６は、実施の形態１の変形例１に係る映像表示システムの機能構成の一例を示すブロック図である。
【００７７】
実施の形態１の変形例１に係る映像表示システム１Ａは、再生装置１００Ａの機能構成が、実施の形態１の再生装置１００の機能構成と異なる。また、実施の形態１の変形例１に係る表示装置２００Ａの機能構成も、実施の形態１の表示装置２００の機能構成と異なる。以下では、実施の形態１の映像表示システム１と異なる点について説明し、共通する構成については説明を省略する。なお、再生装置１００Ａのハードウェア構成は、実施の形態１の再生装置１００と同じであり、表示装置２００Ａのハードウェア構成は、実施の形態１の表示装置２００と同じである。
【００７８】
再生装置１００Ａは、実施の形態１の再生装置１００と比較して、さらに、ＵＩ（Ｕｓｅｒ  Ｉｎｔｅｒｆａｃｅ）出力部１４０と、入力受付部１５０と、決定部１６０とを備える。
【００７９】
ＵＩ出力部１４０は、表示装置２００に、第１時間差を特定するためのＵＩを所定の通信により出力する。ＵＩ出力部１４０は、具体的には、表示装置２００の表示パネル２０５に、図７に示すようなＵＩ（Ｕｓｅｒ  Ｉｎｔｅｒｆａｃｅ）１７０を表示させる。ＵＩ出力部１４０は、例えば、制御回路１０１、メモリ１０２および通信ＩＦ１０６などにより実現される。
【００８０】
図７は、ＵＩ出力部により出力されるＵＩの一例を示す図である。
【００８１】
ＵＩ出力部１４０は、図７の（ａ）および（ｂ）に示すように、調整用画像１７１ａ、１７１ｂと、スライダー１７２とを含むＵＩ１７０を表示装置２００に出力する。ＵＩ１７０では、黒の領域を含む調整用画像１７１ａと、黒の領域を含まずに白の領域のみを含む調整用画像１７１ｂとが、所定の周期で切り替えて表示される。また、ＵＩ出力部１４０は、ＵＩ１７０の出力中において、黒の領域を含む調整用画像１７１ａと、黒の領域を含まずに白の領域のみを含む調整用画像１７１ｂとのそれぞれに対応している画像特性情報を切り替えて送信する。これにより、表示装置２００において、調整用画像１７１ａから調整用画像１７１ｂに切り替えて表示処理を行うタイミングで、調整用画像１７１ｂに対応した画像特性情報に応じた表示処理が行われていない場合には、画像を切り替える前または後にずれたタイミングで表示処理が適用されてしまう。よって、ＵＩ１７０では、適切なタイミングで画像特性情報が送信されるように、スライダー１７２をユーザに調整させる。スライダー１７２は、例えば、再生装置１００Ａのリモコンがユーザにより操作されることにより調整される。
【００８２】
つまり、図６に戻り、入力受付部１５０は、ＵＩ出力部１４０により出力されたＵＩ１７０に対する、ユーザからの所定の入力を受け付けて、所定の入力に応じて位置が変更されたスライダー１７２を含むＵＩ１７０がＵＩ出力部１４０により出力される。なお、ＵＩ１７０では、スライダー１７２に限らずに、ピクチャの送信タイミングおよび画像特性情報の送信タイミングの少なくとも一方を調整させるためのＵＩを表示すればよく、スライダー１７２の代わりに送信タイミングを調整するための数値を受け付けるボックスを表示してもよい。入力受付部１５０は、例えば、入力ＩＦ１０７により実現される。
【００８３】
決定部１６０は、入力受付部１５０により受け付けられた入力に応じて第１時間差を決定する。決定部１６０は、例えば、調整後のスライダー１７２の位置に対応する時間差を第１時間差として決定する。決定部１６０は、例えば、制御回路１０１およびメモリ１０２などにより実現される。
【００８４】
表示装置２００Ａは、実施の形態１の表示装置２００と比較して、記憶部２２０を有していない点が異なる。
【００８５】
そして、取得部１１０は、決定部１６０により決定された第１時間差を取得する。
【００８６】
図８は、実施の形態１の変形例１に係る映像表示システムによる再生方法の一例を示すシーケンス図である。
【００８７】
実施の形態１の変形例１では、実施の形態１のステップＳ２〜ステップＳ５の前にステップＳ１１〜ステップＳ１４を行うことが異なるため、ステップＳ１１〜ステップＳ１４について説明し、その他のステップの説明を省略する。
【００８８】
まず、再生装置１００Ａでは、ＵＩ出力部１４０がＵＩ１７０を、伝送ケーブル３００を介して表示装置２００Ａに出力する（Ｓ１１）。
【００８９】
次に、表示装置２００Ａでは、伝送ケーブル３００を介してＵＩ１７０を受信し、受信したＵＩ１７０を表示する（Ｓ１２）。
【００９０】
次に、再生装置１００Ａでは、入力受付部１５０がＵＩ１７０に対する、ユーザからの所定の入力を受け付ける（Ｓ１３）。
【００９１】
そして、決定部１６０は、入力受付部１５０により受け付けられた所定の入力に応じて第１時間差を決定する（Ｓ１４）。
【００９２】
その後、実施の形態１で説明したステップＳ２〜Ｓ５と同様の処理が行われる。
【００９３】
このように、実施の形態１の変形例１に係る映像表示システム１Ａでは、表示装置２００Ａから当該表示装置２００Ａにおける第１時間差を取得できない場合であっても、再生装置１００Ａは、ＵＩ１７０に対するユーザからの入力に応じて表示装置２００Ａにおける第１時間差を推定することができる。よって、再生装置１００Ａは、推定した第１時間差を用いて調整したタイミングで複数のピクチャおよび複数の画像直性情報を出力することができる。このため、表示装置２００Ａは、動画像の所定のピクチャを表示させる処理を行うタイミングで、当該所定のピクチャに対応する画像特性情報を取得でき、動画像の所定のピクチャの画像特性に対応する適切な表示処理を当該所定のピクチャに実行することができる。
【００９４】
［１−４−２．変形例２］
実施の形態１の変形例２について説明する。
【００９５】
実施の形態１の変形例１では、表示装置２００が第１時間差を示す時間差情報を記憶していない場合について、再生装置１００ＡがＵＩ１７０を出力することで、ＵＩ１７０に対する入力に応じて送信タイミングを調整する例について説明したが、ＵＩを用いて調整タイミングを調整する例は、これに限らない。再生装置は、例えば、表示装置２００が第１時間差を示す時間差情報を記憶している場合であっても、さらに、ＵＩを用いて調整タイミングを調整してもよい。
【００９６】
図９は、実施の形態１に係る映像表示システムの機能構成の一例を示すブロック図である。
【００９７】
実施の形態１の変形例２に係る映像表示システム１Ｂは、再生装置１００Ｂの機能構成が、実施の形態１の変形例１に係る再生装置１００Ａの機能構成と異なる。また、実施の形態１の変形例２に係る表示装置２００は、実施の形態１に係る表示装置２００と同じ構成である。以下では、実施の形態１の変形例１の映像表示システム１Ａと異なる点について説明し、共通する構成については説明を省略する。なお、再生装置１００Ｂのハードウェア構成は、実施の形態１の再生装置１００のハードウェア構成と同じである。
【００９８】
再生装置１００Ｂは、実施の形態１の変形例１の再生装置１００Ａと比較して、取得部１１０ａ、調整部１２０ａおよびＵＩ出力部１４０ａの構成が異なる。
【００９９】
取得部１１０ａは、表示装置２００から第１時間差を含む時間差情報を取得する。取得部１１０ａは、さらに、決定部１６０から第２時間差を取得する。なお、ここで、第２時間差とは、第１時間差に応じて調整されたタイミングで送信されたピクチャおよび画像特性情報において、ピクチャを表示装置２００が表示するタイミングに対する、当該ピクチャに対応する画像特性情報を表示装置２００が表示する処理に用いるタイミングの時間差である。取得部１１０ａは、例えば、制御回路１０１、メモリ１０２および通信ＩＦ１０６などにより実現される。
【０１００】
調整部１２０ａは、取得部１１０ａにより取得された時間差情報が示す第１時間差および第２時間差に応じて、第１時間差および第２時間差の合計値が小さくなるように、複数のピクチャを出力するタイミング、および、複数の画像特性情報を出力するタイミングの少なくとも一方を調整する。
【０１０１】
ＵＩ出力部１４０ａは、第１時間差に応じて調整されたタイミングでＵＩ１７０を出力する。これにより、入力受付部１５０は、ユーザから第１時間差が調整された後における、ピクチャを表示装置２００が表示するタイミングに対する、当該ピクチャに対応する画像特性情報を表示装置２００が表示する処理に用いるタイミングの時間差である第２時間差を示す入力を受け付ける。よって、決定部１６０は、当該入力に応じて第２時間差を決定する。
【０１０２】
図１０は、実施の形態１の変形例２に係る映像表示システムによる再生方法の一例を示すシーケンス図である。
【０１０３】
実施の形態１の変形例２では、実施の形態１のステップＳ１〜ステップＳ３の後に、ＵＩ１７０を出力することで第２時間差を決定し、第１時間差および第２時間差に応じて、実施の形態１のステップＳ４およびステップＳ５を行う。以下、実施の形態１またはその変形例で説明したステップと同様のステップの説明は省略する場合がある。
【０１０４】
まず、実施の形態１のステップＳ１〜ステップＳ３と同様の処理が行われる。
【０１０５】
そして、再生装置１００Ｂでは、ＵＩ出力部１４０ａが第１時間差に応じて調整されたタイミングでＵＩ１７０を出力する（Ｓ１１ａ）。つまり、ＵＩ出力部１４０ａは、第２時間差を特定するためのＵＩ１７０を、伝送ケーブル３００を介して表示装置２００に出力する。
【０１０６】
次に、表示装置２００では、ＵＩ１７０を表示し（Ｓ１２）、再生装置１００Ｂでは、ＵＩ１７０に対する入力を受け付ける（Ｓ１３）。
【０１０７】
そして、再生装置１００Ｂでは、決定部１６０は、当該入力に応じて第２時間差を決定する（Ｓ１４ａ）。
【０１０８】
その後、取得部１１０ａは、決定部１６０により決定された第２時間差を取得する（Ｓ２ａ）。
【０１０９】
次に、調整部１２０ａは、取得部１１０ａにより取得された時間差情報が示す第１時間差および第２時間差に応じて、第１時間差および第２時間差の合計値が小さくなるように、複数のピクチャを出力するタイミング、および、複数の画像特性情報を出力するタイミングの少なくとも一方を調整する（Ｓ３ａ）。
【０１１０】
その後、実施の形態１で説明したステップＳ４およびステップＳ５と同様の処理が行われる。
【０１１１】
このように、再生装置１００Ｂは、表示装置２００が保持している第１時間差を示す時間差情報の他に、第１時間差が調整された後のＵＩ１７０を用いて第２時間差を取得し、第１時間差および第２時間差に応じてピクチャおよび画像特性情報それぞれの送信タイミングを調整する。このため、再生装置は、第１時間差を調整した後でも、さらに、ＵＩ１７０に対するユーザからの入力に応じた第２時間差も考慮してピクチャおよび画像特性情報の送信タイミングを調整でき、精度よい、または、ユーザの好みに適した送信タイミングに調整することができる。
【０１１２】
（実施の形態２）
実施の形態１およびその変形例１、２に係る映像表示システム１、１Ａ、１Ｂでは、再生装置１００、１００Ａ、１００Ｂにおいて、ピクチャおよび画像特性情報それぞれの送信タイミングを調整するとしたが、表示装置において、ピクチャを表示する表示処理に併せて当該ピクチャに対応する画像特性情報が適用されるようにタイミングを調整してもよい。
【０１１３】
以下、図１１および図１２を用いて、実施の形態２を説明する。
【０１１４】
［２−１．構成］
図１１は、実施の形態２に係る映像表示システムの機能構成の一例を示すブロック図である。
【０１１５】
実施の形態２に係る映像表示システム１Ｃは、再生装置１００Ｃの機能構成が、実施の形態１の再生装置１００の機能構成と異なる。また、実施の形態２に係る表示装置２００Ｃの機能構成も、実施の形態１の表示装置２００の機能構成と異なる。なお、再生装置１００Ｃのハードウェア構成は、実施の形態１の再生装置１００のハードウェア構成と同じであり、表示装置２００Ｃのハードウェア構成は、実施の形態１の表示装置２００のハードウェア構成と同じである。
【０１１６】
再生装置１００Ｃは、実施の形態１の再生装置１００と比較して、取得部１１０および調整部１２０を有していない点が異なる。再生装置１００Ｃでは、出力部１３０が映像信号を、伝送ケーブル３００を介して表示装置２００Ｃに送信する。出力部１３０は、実施の形態１と同様に映像信号を出力するが、実施の形態２で再生された映像信号には、例えば、コンテンツ映像を示す映像信号より前に、パイロット信号が含まれている。なお、再生装置１００Ｃが取得する映像データにパイロット信号を示すパイロットデータが含まれていれば、再生装置１００Ｃの構成は、実施の形態１の再生装置１００と同じであってもよい。また、再生装置１００Ｃは、実施の形態１の再生装置１００とは異なり、パイロット信号を予め記憶している記憶部を有する構成としてもよい。
【０１１７】
表示装置２００Ｃは、実施の形態１の表示装置２００と比較して、記憶部２２０を有しておらず、かつ、さらに検出部２４０および調整部２５０を有している点が異なる。
【０１１８】
通信部２１０は、再生装置１００Ｃからパイロット信号を含む映像信号を受信することで、映像信号を取得する取得部としても機能する。映像信号は、複数のピクチャを有する動画像と、複数のピクチャそれぞれに対応しており、複数のピクチャの画像特性を示す複数の画像特性情報とを含む映像信号を伝送ケーブル３００により再生装置１００Ｃから受信する。通信部２１０は、例えば、制御回路２０１、メモリ２０２および通信ＩＦ２０３などにより実現される。
【０１１９】
検出部２４０は、複数のピクチャのうちの一のピクチャを再生装置１００Ｃが出力する第３タイミングに対する、複数の画像特性情報のうち当該一のピクチャに対応する一の画像特性情報を再生装置１００Ｃが出力する第４タイミングの第３時間差を検出する。検出部２４０は、具体的には、再生装置１００Ｃにより再生された、パイロット信号に含まれる、テスト用のパイロットピクチャおよび当該パイロットピクチャに対応するパイロット画像特性情報を取得する。そして、検出部２４０は、パイロットピクチャを取得したタイミングおよびパイロット画像特性情報を取得したタイミングを用いて第３時間差を検出する。なお、パイロット信号は、例えば、黒画面を示す１つのパイロットピクチャと、当該１つのパイロットピクチャに対応する１つのパイロット画像特性情報とが含まれる。このため、検出部２４０は、パイロット信号を含む映像信号を取得すれば、第３時間差を検出することができる。つまり、複数のピクチャおよび複数の画像特性情報を受信しても、これらの対応関係が不明であるため、第３時間差を検出することは容易ではないが、パイロット信号は、対応関係が明確であるため、第３時間差を検出することが容易にできる。第３時間差は、例えば、第３タイミングから第４タイミングを減じることで得られた時間差である。つまり、第３タイミングが第４タイミングよりも早い時刻であれば、正の値となり、反対に、第３タイミングが第４タイミングよりも遅い時刻であれば、負の値となる。検出部２４０は、例えば、制御回路２０１およびメモリ２０２などにより実現される。
【０１２０】
なお、第３時間差は、第４タイミングから第３タイミングを減じることで得られた時間差であってもよい。この場合、正および負の関係は、上記とは反対となる。
【０１２１】
調整部２５０は、検出部２４０により検出された第３時間差に応じて、第３時間差が小さくなるように、複数のピクチャを表示するタイミング、および、複数の画像特性情報を表示処理に用いるタイミングの少なくとも一方を調整する。具体的には、調整部２５０は、第３時間差が正の値であれば、第３時間差の分だけ複数のピクチャを表示するタイミングを遅くするか、または、第３時間差の分だけ複数の画像特性情報を表示処理に用いるタイミングを早くするか、または、第３時間差の分だけ複数のピクチャを表示するタイミングを遅くし、かつ、複数の画像特性情報を表示処理に用いるタイミングを早くする。また、調整部２５０は、第３時間差が負の値であれば、第３時間差の分だけ複数のピクチャを表示するタイミングを早くするか、または、第３時間差の分だけ複数の画像特性情報を表示処理に用いるタイミングを遅くするか、または、第３時間差の分だけ複数のピクチャを表示するタイミングを早くし、かつ、複数の画像特性情報を表示処理に用いるタイミングを遅くする。なお、調整部２５０は、連続して表示される複数のピクチャの表示間隔（表示周期）単位でタイミングを調整してもよい。調整部２５０は、例えば、制御回路２０１およびメモリ２０２などにより実現される。
【０１２２】
表示部２３０は、調整部２５０により調整されたタイミングで複数の画像特性情報を用いて複数のピクチャを表示する。表示部は、例えば、映像処理回路２０４および表示パネル２０５等により実現される。
【０１２３】
［２−２．動作］
図１２は、実施の形態２に係る映像表示システムによる表示方法の一例を示すシーケンス図である。
【０１２４】
まず、再生装置１００Ｃでは、出力部１３０がパイロット信号を含む映像信号を、伝送ケーブル３００を介して表示装置２００Ｃに送信する（Ｓ２１）。
【０１２５】
次に、表示装置２００Ｃでは、通信部２１０がパイロット信号を含む映像信号を受信する（Ｓ２２）。
【０１２６】
そして、検出部２４０は、通信部２１０により受信された映像信号に含まれるパイロット信号から第３時間差を検出する（Ｓ２３）。
【０１２７】
その後、調整部２５０は、検出部２４０により検出された第３時間差が小さくなるように、複数のピクチャを表示するタイミング、および、複数の画像特性情報を表示処理に用いるタイミングの少なくとも一方を調整する（Ｓ２４）。
【０１２８】
そして、表示部２３０は、調整部２５０により調整されたタイミングで複数の画像特性情報を用いて複数のピクチャを表示する（Ｓ２５）。
【０１２９】
［２−３．効果等］
以上のように、本実施の形態において、表示装置２００Ｃは、通信部２１０と、検出部２４０と、調整部２５０と、表示部２３０とを備える。通信部２１０は、複数のピクチャを有する動画像と、複数のピクチャそれぞれに対応しており、複数のピクチャの画像特性を示す複数の画像特性情報とを含む映像信号を所定の通信により再生装置から取得する。検出部２４０は、複数のピクチャのうちの一のピクチャを再生装置１００Ｃが出力するタイミングに対する、複数の画像特性情報のうち当該一のピクチャに対応する一の画像特性情報を再生装置１００Ｃが出力するタイミングの第３時間差を検出する。調整部２５０は、検出部２４０により検出された第３時間差に応じて、第３時間差が小さくなるように、複数のピクチャを表示するタイミング、および、複数の画像特性情報を表示する処理に用いるタイミングの少なくとも一方を調整する。表示部２３０は、調整部２５０により調整されたタイミングで画像特性情報を用いて複数のピクチャを表示する。
【０１３０】
これによれば、表示装置２００Ｃは、再生装置１００Ｃが映像データを再生して得られた一のピクチャを出力するタイミングに対する、当該再生装置１００Ｃが当該一のピクチャに対応する一の画像特性情報を出力するタイミングの第３時間差が小さくなるように、複数のピクチャを表示するタイミング、および、複数の画像特性情報を表示する処理に用いるタイミングの少なくとも一方を調整する。そして、表示装置２００Ｃは、調整したタイミングで取得した複数の画像特性情報を用いて、調整したタイミングで取得した複数のピクチャをそれぞれ表示する。よって、表示装置２００Ｃは、動画像の所定のピクチャを表示させる処理を行うタイミングで、当該所定のピクチャに対応する画像特性情報を取得でき、動画像の所定のピクチャの画像特性に対応する適切な表示処理を当該所定のピクチャに実行することができる。つまり、表示装置２００Ｃは、調整されたタイミングで取得されたピクチャに、取得された画像特性情報を用いた表示処理を順次実行するため、ピクチャおよび画像特性情報のそれぞれが紐付けされていなくても、対応関係にある画像特性情報を用いた表示処理をピクチャに実行することができる。
【０１３１】
［２−４．変形例］
実施の形態２の変形例について説明する。
【０１３２】
上記実施の形態２では、再生装置１００Ｃは、パイロット信号を含む映像信号を送信することで、表示装置２００Ｃに第３時間差を検出させるとしたが、これに限らずに、第３時間差を示す時間差情報を表示装置２００Ｃに送信してもよい。
【０１３３】
この場合、再生装置１００Ｃは、ＨＤＭＩを介して送信するＩｎｆｏＦｒａｍｅに時間差情報を追加して、表示装置２００Ｃに時間差情報を送信する。これにより、表示装置２００Ｃは、伝送ケーブル３００を介して受信したＩｎｆｏＦｒａｍｅに含まれる第３時間差を取得する。その後、表示装置２００Ｃは、取得した第３時間差を用いた処理を行えばよい。
【０１３４】
このため、表示装置２００Ｃは、ＨＤＭＩによって再生装置１００Ｃと接続するだけで、第３時間差を取得することができる。
【０１３５】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１３６】
ここで、上記各実施の形態の再生方法などを実現するソフトウェアは、次のようなプログラムである。
【０１３７】
すなわち、このプログラムは、コンピュータに、複数のピクチャと、前記複数のピクチャそれぞれに対応しており、前記複数のピクチャの画像特性を示す複数の画像特性情報とを含む映像信号を所定の通信により表示装置に出力する再生装置における再生方法であって、前記複数のピクチャのうちの一のピクチャを前記表示装置が表示するタイミングに対する、前記複数の画像特性情報のうち当該一のピクチャに対応する一の画像特性情報を前記表示装置が表示する処理に用いるタイミングの第１時間差を取得し、取得した前記第１時間差に応じて、前記第１時間差が小さくなるように、前記複数のピクチャを出力するタイミング、および、前記複数の画像特性情報を出力するタイミングの少なくとも一方を調整し、調整したタイミングで前記複数のピクチャおよび前記複数の画像特性情報を前記所定の通信により出力する再生方法を実行させる。
【０１３８】
また、ここで、上記各実施の形態の表示方法などを実現するソフトウェアは、次のようなプログラムである。
【０１３９】
すなわち、このプログラムは、コンピュータに、複数のピクチャと、前記複数のピクチャそれぞれに対応しており、前記複数のピクチャの画像特性を示す複数の画像特性情報とを含む映像信号を所定の通信により再生装置から取得し、前記複数のピクチャのうちの一のピクチャを前記再生装置が出力するタイミングに対する、前記複数の画像特性情報のうち当該一のピクチャに対応する一の画像特性情報を前記再生装置が出力するタイミングの第３時間差を検出し、検出した前記第３時間差に応じて、前記第３時間差が小さくなるように、前記複数のピクチャを表示するタイミング、および、前記複数の画像特性情報を前記表示する処理に用いるタイミングの少なくとも一方を調整し、調整したタイミングで前記が像特性情報を用いて前記複数のピクチャを表示する表示方法を実行させる。
【０１４０】
以上のように、本開示における技術の例示として、実施の形態を説明した。そのために、添付図面および詳細な説明を提供した。
【０１４１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１４２】
また、上述の実施の形態は、本開示における技術を例示するためのものであるから、請求の範囲またはその均等の範囲において種々の変更、置き換え、付加、省略などを行うことができる。
【産業上の利用可能性】
【０１４３】
本開示は、動画像の所定のピクチャの画像特性に対応する適切な画像処理を当該所定のピクチャに実行することができる再生装置、再生方法、表示装置、および、表示方法等に適用可能である。
【符号の説明】
【０１４４】
１、１Ａ〜１Ｃ    映像表示システム
１００、１００Ａ〜１００Ｃ    再生装置
１０１    制御回路
１０２    メモリ
１０３    ＢＤドライブ
１０４    バッファメモリ
１０５    デコーダ
１０６    通信ＩＦ
１０７    入力ＩＦ
１１０、１１０ａ    取得部
１２０、１２０ａ    調整部
１３０    出力部
１４０、１４０ａ    ＵＩ出力部
１５０    入力受付部
１６０    決定部
１７０    ＵＩ
１７１ａ、１７１ｂ    調整用画像
１７２    スライダー
２００、２００Ａ、２００Ｃ    表示装置
２０１    制御回路
２０２    メモリ
２０３    通信ＩＦ
２０４    映像処理回路
２０５    表示パネル
２０６    音声処理回路
２０７    スピーカ
２１０    通信部
２２０    記憶部
２３０    表示部
２４０    検出部
２５０    調整部
【図１】
2018193715.tif 000003
【図２】
2018193715.tif 000004
【図３】
2018193715.tif 000005
【図４】
2018193715.tif 000006
【図５】
2018193715.tif 000007
【図６】
2018193715.tif 000008
【図７】
2018193715.tif 000009
【図８】
2018193715.tif 000010
【図９】
2018193715.tif 000011
【図１０】
2018193715.tif 000012
【図１１】
2018193715.tif 000013
【図１２】
2018193715.tif 000014
【国際調査報告】
2018193715.tif 000015
2018193715.tif 000016
2018193715.tif 000017